(57)【要約】      （修正有）【課題】必要なものを挟持して簡単に吊り下げることができ、コンパクトに収納しておくことができる吊り下げ挟持装置を提供する。【解決手段】取付側の挟持部材１０と吊り下げ側の挟持部材１０とからなる少なくとも二つの挟持部材１０を着脱自在な嵌着フック２１部を有する連結部材２０により連結してなる。【選択図】図１
0003181830.tif 000002
【実用新案登録請求の範囲】
【請求項１】
取付側の挟持部材と吊り下げ側の挟持部材とからなる二つの挟持部材を嵌着自在な連結部材により連結してなる吊り下げ挟持装置。
【請求項２】
請求項１に記載の吊り下げ挟持装置において、二つの挟持部材に連結リングを設け、連結リングに連結部材の端部に設けた嵌着フック部を着脱自在に連結してなる吊り下げ挟持装置。
【請求項３】
請求項２に記載の吊り下げ挟持装置において、連結リングが挟持部材の挟持用円形バネからなる吊り下げ挟持装置。
【請求項４】
請求項１、２又は３に記載の吊り下げ挟持装置において、連結部材が連結可能な鎖状部材を有する吊り下げ挟持装置。
【請求項５】
請求項１、２又は３に記載の吊り下げ挟持装置において、連結部材が連結可能な輪ゴム状部材を有する吊り下げ挟持装置。
【請求項６】
請求項１、２又は３に記載の吊り下げ挟持装置において、連結部材が互いに弾性変形を伴って着脱可能な嵌着フック部を両端部に有する棒状部材からなる吊り下げ挟持装置。
【請求項７】
請求項６に記載の吊り下げ挟持装置において、嵌着フック部が弾性変形を伴って開閉する着脱隙間を有する吊り下げ挟持装置。
【請求項８】
請求項１乃至７のいずれかに記載の吊り下げ挟持装置において、連結部材がプラスチックス製又は金属製の棒状部材からなる吊り下げ挟持装置。
【請求項９】
請求項１乃至８のいずれかに記載の吊り下げ挟持装置において、挟持部材が洗濯ばさみからなる吊り下げ挟持装置。
【請求項１０】
請求項１乃至９のいずれかに記載の吊り下げ挟持装置において使用する連結部材。
【考案の詳細な説明】
【技術分野】
【０００１】
本考案は吊り下げ挟持装置、特には挟持しようとする物を任意の場所に着脱して吊り下げることができる吊り下げ挟持装置と連結部材に関する。
【背景技術】
【０００２】
従来、洗濯ばさみで洗濯物を吊り下げる吊り下げ挟持装置は広く知られている。洗濯竿を紐で絡めて吊り下げるようにした洗濯ばさみや、特許文献１のように洗濯竿を挟持する竿ばさみと連結した洗濯ばさみや、特許文献２のようにハンガーの孔に金具を着脱可能に固定した紐に吊り下げた洗濯ばさみ等、洗濯竿などの任意の場所に着脱して吊り下げることができる吊り下げ挟持装置が多数提案されている。
【先行技術文献】
【特許文献】
【０００３】
【特許文献１】実用新案出願公開平３−４１６９２号公報
【特許文献２】実用新案出願公開平７−４４２９９号公報
【考案の概要】
【考案が解決しようとする課題】
【０００４】
従来装置では、洗濯竿などの固定物に紐を絡めたり縛ったりして着脱しなければならなかったり、太い洗濯竿に竿ばさみを挟持弾力に抗して着脱しなければならなかったり、ハンガーの孔に金具を着脱したりする必要があり、かなり面倒で、時間と労力を要する場合が多々あった。
【課題を解決するための手段】
【０００５】
そこで、本考案は、請求項１に記載のように、取付側の挟持部材と吊り下げ側の挟持部材とからなる二つの挟持部材を着脱自在な連結部材により連結してなる吊り下げ挟持装置を提供するものである。
【０００６】
また、本考案は、請求項２に記載のように、請求項１に記載の吊り下げ挟持装置において、二つの挟持部材に連結リングを設け、連結リングに連結部材の端部に設けた嵌着フック部を着脱自在に連結してなる吊り下げ挟持装置を提供するものである。
【０００７】
また、本考案は、請求項３に記載のように、請求項２に記載の吊り下げ挟持装置において、連結リングが挟持部材の挟持用円形バネからなる吊り下げ挟持装置を提供するものである。
【０００８】
また、本考案は、請求項４に記載のように、請求項１、２又は３に記載の吊り下げ挟持装置において、連結部材が互いに連結可能な鎖状部材を有する吊り下げ挟持装置を提供するものである。
【０００９】
また、本考案は、請求項５に記載のように、請求項１、２又は３に記載の吊り下げ挟持装置において、連結部材が互いに連結可能な輪ゴム状部材を有する吊り下げ挟持装置を提供するものである。
【００１０】
また、本考案は、請求項６に記載のように、  請求項１、２又は３に記載の吊り下げ挟持装置において、連結部材が互いに弾性変形を伴って着脱可能な嵌着フック部を両端部に有する棒状部材からなる吊り下げ挟持装置を提供するものである。
【００１１】
また、本考案は、請求項７に記載のように、請求項６に記載の吊り下げ挟持装置において、嵌着フック部が弾性変形を伴って開閉する着脱隙間を有する吊り下げ挟持装置を提供するものである。
【００１２】
また、本考案は、請求項８に記載のように、請求項１乃至７のいずれかに記載の吊り下げ挟持装置において、連結部材がプラスチックス製又は金属製の棒状部材からなる吊り下げ挟持装置を提供するものである。
【００１３】
また、本考案は、請求項９に記載のように、請求項１乃至８のいずれかに記載の吊り下げ挟持装置において、挟持部材が洗濯ばさみからなる吊り下げ挟持装置を提供するものである。
【００１４】
また、請求項１０に記載のように、請求項１乃至９のいずれかに記載の吊り下げ挟持装置において使用する連結部材を提供するものである。
【考案の効果】
【００１５】
本考案に係る吊り下げ挟持装置によれば、請求項１に記載のように、取付側の挟持部材と吊り下げ側の挟持部材とからなる二つの挟持部材を着脱自在な連結部材により連結してなる構成を有することにより、二つの挟持部材を連結部材により連結し、いずれか一方を取付側の挟持部材として任意の取付部分を挟持することによって取り付け、他方の吊り下げ側の挟持部材により、洗濯物、カレンダー、メモ用紙、筆記具、鍵や紐など、必要なものを挟持して簡単に吊り下げることができる。また、挟持部材の吊り下げ位置の調整、移動が容易であり、不要な場合には、挟持部材と連結部材を離脱してコンパクトに収納しておくことができる。また、販売や持ち運びのときには、挟持部材と連結部材とを任意に取り外し小嵩にして取り扱うことができる。
【００１６】
また、本考案によれば、請求項２に記載のように、請求項１に記載の吊り下げ挟持装置において、二つの挟持部材に連結リングを設け、連結リングに連結部材の端部に設けた嵌着フック部を着脱自在に連結してなる構成を有することにより、連結リングに嵌着フック部を着脱して挟持部材に連結部材を容易に連結し離脱することができる。
【００１７】
また、本考案によれば、請求項３に記載のように、請求項２に記載の吊り下げ挟持装置において、連結リングが挟持部材の挟持用円形バネからなる構成を有することにより、連結リングを挟持部材の挟持片に孔を開けて取り付けるようなことをすることなく、挟持用円形バネを使用して簡単に吊り下げることができる効果がある。
【００１８】
また、本考案は、請求項４に記載のように、請求項１、２又は３に記載の吊り下げ挟持装置において、連結部材が互いに連結可能な鎖状部材を有する構成であるから、鎖状部材によって美観及び屈曲性を良くすることができると共に、吊り下げ高さを容易に調整することができる効果がある。
【００１９】
また、本考案は、請求項５に記載のように、請求項１、２又は３に記載の吊り下げ挟持装置において、連結部材が互いに連結可能な輪ゴム状部材を有する構成であるから、輪ゴム状部材によって弾力的に伸縮を伴って吊り下げることができる効果がある。
【００２０】
また、本考案によれば、請求項６に記載のように、請求項１、２又は３に記載の吊り下げ挟持装置において、連結部材が互いに連結可能な嵌着フック部を両端部に有する棒状部材からなる構成を有することにより、複数組の本装置の挟持部材を互いに挟持し合うことによって吊り下げ高さを調整することもできるが、複数個の棒状部材の端部の嵌着フック部を互いに着脱自在に連結することによって吊り下げ高さを調整することができる効果がある。
【００２１】
また、本考案によれば、請求項７に記載のように、請求項６に記載の吊り下げ挟持装置において、嵌着フック部が弾性変形を伴って開閉する着脱隙間を有する構成であるから、着脱隙間を広げて連結リンク又は嵌着フック部を着脱することができると共に、装着後には着脱隙間が閉じ位置において連結状態を維持する効果がある。
【００２２】
また、本考案によれば、請求項８に記載のように、請求項１乃至７のいずれかに記載の吊り下げ挟持装置において、連結部材がプラスチックス製又は金属製の棒状部材からなる構成を有することにより、製造加工が容易であるばかりでなく、弾力性があるから嵌着フック部などの連結部を弾性変形を利用して連結リンクに容易に着脱することができる効果がある。
【００２３】
また、本考案は、請求項９に記載のように、請求項１乃至８のいずれかに記載の吊り下げ挟持装置において、挟持部材が洗濯ばさみからなる構成を有することにより、市販の洗濯ばさみを利用して本装置を簡単に製造することができる効果がある。
【００２４】
また、請求項１０に記載のように、請求項１乃至９のいずれかに記載の吊り下げ挟持装置において使用する連結部材によって、吊り下げ挟持装置を簡単に組み立てることができる効果がある。
【図面の簡単な説明】
【００２５】
【図１】本考案装置の一実施例の概略正面説明図。
【図２】本考案装置の一実施例の要部の概略断面説明図。
【図３】本考案装置の他の実施例の一部省略説明図。
【図４】本考案装置の他の実施例の要部の概略説明図。
【図５】本考案装置の他の実施例の要部の概略説明図。
【図６】本考案装置の他の実施例の要部の概略説明図。
【図７】本考案装置の他の実施例の要部の概略説明図。
【考案を実施するための形態】
【００２６】
本考案に係る吊り下げ挟持装置の基本的な構成は、取付側の挟持部材１０と吊り下げ側の挟持部材１０とからなる二つの挟持部材１０を着脱自在な連結部材２０により連結してなる構成を有する。二つの挟持部材１０を連結部材２０により連結し、いずれか一方を取付側の挟持部材１０として任意の取付部分を挟持することによって取り付け、他方の吊り下げ側の挟持部材１０により、洗濯物、カレンダー、メモ用紙、筆記具、鍵や紐など、種々の必要なものを挟持して簡単に吊り下げることができるようにしたものである。挟持部材１０の吊り下げ位置の調整、移動が容易であり、不要な場合には、挟持部材１０と連結部材２０を離脱してコンパクトに収納しておくことができる。また、販売や持ち運びのときには、挟持部材１０と連結部材２０とを任意に取り外し小嵩にして取り扱うことができる。
【実施例１】
【００２７】
図１に記載の実施例において、二つの挟持部材１０は、挟持用円形バネ１のバネ弾力によって支点軸２を中心に挟持部３に挟持弾力が付与されている。開閉把持部４は、支点軸２を中心に挟持用円形バネ１の挟持バネ弾力に抗して挟持部３を開くことができ、図１において、上方の取付側の挟持部材１０では取付部を挟持することができ、下方の挟持部材１０では、洗濯物、カレンダー、メモ用紙、筆記具、鍵や紐など、必要なものを挟持するように構成してある。二つの挟持部材１０は連結部材２０によって連結されている。挟持用円形バネ１は金属製のバネ材からなり、それ以外の挟持部材１０の本体部分は主として合成樹脂製、竹製、木製又は真鍮製などである。挟持部材１０は洗濯ばさみを使用することができる。
【００２８】
図１の実施例の場合、連結部材２０は、両端部に嵌着フック部２１を有すると共にその中間部に棒状部材２２を有する一体の部材からなる。この実施例の場合、図２に拡大断面図にして示すように、嵌着フック部２１は、棒状部材２２の両端部をほぼ円形に丸めてその先端部２３を棒状部材２２の一側面に着脱隙間２４を間にして対面するように成形してある。嵌着フック部２１は全体として弾性変形可能であり、本考案の連結リングとして挟持用円形バネ１を着脱隙間２４に押し当てて弾性変形させて着脱隙間２４を広げ着脱することができる構成してある。挟持用円形バネ１を嵌着フック部２１内に嵌合すると、図２に記載のように、着脱隙間２４は閉じ位置に弾性変形復帰して挟持用円形バネ１を閉じ込めて、挟持用円形バネ１から連結部材２０を離脱しないように構成してある。連結部材２０は主として針金等の金属製又は合成樹脂製の一体成型品として構成することができるが、従来公知のアンテナやストローのように伸縮可能な２部材の組合せからなる構成にすることも可能である。
【実施例２】
【００２９】
図３に記載の実施例は、上下の挟持部材１０とそれぞれの連結部材２０との着脱関係は実施例１の場合と同様であるが、上下の挟持部材１０の挟持用円形バネ１と直接に連結された連結部材２０が１個ではなく、２個になる場合である。この場合、基本的には、２個の連結部材２０の一方の嵌着フック部２１を他方の嵌着フック部２１の着脱隙間２４を利用して嵌着して互いに連結し、連結部材２０の吊り下げ長さを２倍にすることができるように構成してある。
【実施例３】
【００３０】
図４に記載の実施例は、３個以上の複数の連結部材２０を嵌着フック部２１を互いに連結して、連結部材２０による吊り下げ長さを３倍以上に拡張したものである。
【実施例４】
【００３１】
図５に記載の実施例は、上下の連結部材２０の間に、嵌着フック部２１を利用して、鎖状部材３０を連結した構成のものである。個々の鎖片３１の太さを嵌着フック部２１の径とほぼ同一に構成しておけば、任意の位置の鎖片３１を嵌着フック部に２１に嵌着して鎖状部材３０の吊り下げ長さを調整することができる。
【実施例５】
【００３２】
図６に記載の実施例は、上下の連結部材２０の間に、嵌着フック部２１を利用して、輪ゴム状部材４０を連結した構成のものである。輪ゴム状部材４０は１個に限らず複数個を連結した構成にすることも可能である。
【実施例６】
【００３３】
図７に記載の実施例は、挟持部材１０の一方の開閉把持部４に設けた連結リング５に連結部材２０の嵌着フック部を連結した構成のものである。上方の挟持部材１０においては、両側の開閉把持部４に連結リンク５を設けて、それぞれの連結リング５に個々に連結部材２０を取り付けて下方の挟持部材１０を２個にして吊り下げ挟持する構成にすることもできる。
【実施例７】
【００３４】
また、図では省略したが、挟持用円形バネ１又は連結リング５に２個以上の連結部材２０を連結して、下方に２個以上の挟持部材１０を吊り下げ、２個以上の物を吊り下げる構成にすることも可能である。また、その場合、個々の下方の挟持部材１０の吊り下げ高さを変えて２個以上の物を異なる高さに吊り下げることもできる。
【符号の説明】
【００３５】
１      挟持用円形バネ
２      支点軸
３      挟持部
４      開閉把持部
５      連結リング
１０    挟持部材
２０    連結部材
２１    嵌着フック部
２２    棒状部材
２３    先端部
２４    着脱隙間
３０    鎖状部材
３１    鎖片
４０    輪ゴム部材
【図１】
0003181830.tif 000003
【図２】
0003181830.tif 000004
【図３】
0003181830.tif 000005
【図４】
0003181830.tif 000006
【図５】
0003181830.tif 000007
【図６】
0003181830.tif 000008
【図７】
0003181830.tif 000009